(57)【特許請求の範囲】
【請求項１】
創傷開口の中に挿入するためのリングからなる内側取付手段と、創傷開口の外側に取り付けるためのリングからなる第１外側取付手段と、少なくとも前記内側及び外側取付手段間を２層で延長する結合手段とを有し、前記結合手段が一端で前記第１外側取付手段に固定され、内側取付手段に関して動かすことができ、かつその他端が前記内側取付手段と前記第１外側取付手段間に存在する前記結合手段の軸方向長さを短くするように動かすことができることを特徴とする創傷リトラクタ器具。
【請求項２】
前記結合手段が前記内側取付手段の上に被せてめくり戻されていることを特徴とする請求項１に記載の器具。
【請求項３】
前記結合手段が、柔軟な材料のスリーブであることを特徴とする請求項１又は２に記載の器具。
【請求項４】
リングからなる第２の外側取付手段を有することを特徴とする請求項１乃至３のいずれかに記載の器具。
【請求項５】
前記結合手段が該結合手段の前記他端において前記第２外側取付手段に結合されていることを特徴とする請求項４に記載の器具。
【請求項６】
前記内側取付手段がＯリングであり、かつ前記結合手段が、前記第１外側取付手段から前記Ｏリングへと、及び前記Ｏリングから前記第２外側取付手段へと案内されるスリーブであることを特徴とする請求項４又は５に記載の器具。
【請求項７】
前記第１外側取付手段を前記第２外側取付手段に関して固定するためのロック手段を有することを特徴とする請求項５又は６に記載の器具。
【請求項８】
一方の前記外側取付手段が他方の前記外側取付手段内に配置され又は配置可能であることを特徴とする請求項４乃至７のいずれかに記載の器具。
【請求項９】
前記結合手段の長さを短くする際に前記第１及び第２外側取付手段間に気密なシールが形成されることを特徴とする請求項４乃至８のいずれかに記載の器具。
【請求項１０】
前記結合手段が、前記第１及び第２外側取付手段間に延長して膨張可能な空間を画定するスリーブからなることを特徴とする請求項９に記載の器具。
【請求項１１】
膨張手段に接続するためのポートを有することを特徴とする請求項１０に記載の器具。
【請求項１２】
前記結合手段がスリーブからなり、前記スリーブの長さの調整のために、前記スリーブが前記第２外側取付手段に取外可能に取り付けられていることを特徴とする請求項４乃至９のいずれかに記載の器具。
【請求項１３】
前記スリーブの長さの調整のために、前記スリーブが前記第２外側取付手段に取外可能に取り付けられていることを特徴とする請求項１０又は１１に記載の器具。
【請求項１４】
前記第２外側取付手段がレシーバからなり、前記スリーブが前記レシーバに取外可能に取り付けられたリングに取り付けられ又は取付可能であることを特徴とする請求項１２又は１３に記載の器具。
【請求項１５】
前記内側取付手段が、創傷開口への挿入を簡単にするためにそのサイズを小さくすることができる形態をなすことを特徴とする請求項１乃至１４のいずれかに記載の器具。
【請求項１６】
前記内側取付手段が、該内側取付手段を構成する前記リングのサイズを小さくするためのヒンジ手段を有することを特徴とする請求項１５に記載の器具。
【請求項１７】
前記外側取付手段が、前記結合手段をねじるように前記内側取付手段に関して動かして、縮径断面のルーメンを形成しかつ前記内側取付手段と前記外側取付手段間に存在する前記結合手段の前記軸方向長さを短くすることができることを特徴とする請求項１乃至１６のいずれかに記載の器具。
【請求項１８】
前記外側取付手段が前記結合手段をねじるように前記内側取付手段に関して回転可能であることを特徴とする請求項１７記載の器具。
【請求項１９】
前記第１及び第２外側取付手段を互いに相対的に回転させて、前記結合手段をねじり、前記内側取付手段を前記外側手段に向けて引き上げることができることを特徴とする請求項４乃至１６のいずれかに記載の器具。
【請求項２０】
前記結合手段を上方に動かして、該結合手段の軸方向長さを短くすることを特徴とする請求項１乃至１６のいずれかに記載の器具。
【請求項２１】
前記結合手段がスリーブからなることを特徴とする請求項２０に記載の器具。
【請求項２２】
前記結合手段が複数のストラップからなり、前記ストラップを上方に引き上げて、前記内側取付手段と前記外側取付手段間に存在する前記ストラップの軸方向長さを短くすることを特徴とする請求項２０に記載の器具。
【請求項２３】
前記外側取付手段が、外科用器具を保持するためのホルダを有することを特徴とする請求項１乃至２２のいずれかに記載の器具。
【請求項２４】
前記結合手段がスリーブからなり、前記器具が創傷保護リトラクタを形成することを特徴とする請求項１乃至２３のいずれかに記載の器具。
【請求項２５】
前記器具を別の器具に取り付けるための取付手段を有することを特徴とする請求項１乃至２４のいずれかに記載の器具。
【請求項２６】
前記別の器具が別の外科用器具であることを特徴とする請求項２５に記載の器具。
【請求項２７】
前記別の器具が、前腕シールであることを特徴とする請求項２６に記載の器具。
【発明の詳細な説明】
【０００１】
（技術分野）
本発明は、外科手術用器具に関する。より詳細に言えば、本発明は外科手術の際に切創または自然な肉体の開口を開創するため、及び外科手術の際に汚染や腫瘍の種ができることから切創の縁を保護するための器具に関する。
【０００２】
（背景技術）
創傷開創
最近の外科手術では、安全にかつ効率的に処置が行われるように解剖学的に十分な露出が要求される。解剖学的な露出は、自然な開口部の壁部を分離し又は外科的切創の縁を広げることにより達成される。難しい外科的処置は、十分な開創により簡単化され得るのに対し、比較的簡単な処置が、十分な開創がないためにより困難に又は危険にさえなることがある。正しい位置での切創及び充分に完備された開創によって、露出は最大になる。
【０００３】
開創はいくつかの異なる方法で行うことができる。外科の創傷開創で最も一般的な方法は、手持ち式のリトラクタを用いることによるものである。これらは金属又は熱可塑性材料で形成されており、手術者は創傷の縁に引張り力を作用させることができる。これらは使い捨て又は再使用可能なもので、様々な外科的処置の要求を満足するように様々な形状及び寸法で使用されている。
【０００４】
別の型式のリトラクタに、フレーム取付式リトラクタ器具が知られている。この器具は、その上に複数の取り外し可能かつ移動可能なペドル状リトラクタが取り付けられた円形又は馬蹄形の硬質フレームからなる。この器具は、しっかりと固定するように手術台に取り付けることができる。開創は所望の方向に行うことができる。一般にこのようなリトラクタはステンレス鋼で作られ、再使用のための洗浄及び殺菌を容易にしている。いくつかのより複雑なリトラクタは、殺菌前にばらばらにしかつ使用前に組み立てることが必要である。このような器具は通常、創傷のいくつかの特定の位置で開創を行う。これは、創傷の縁の部分に局所貧血を生じさせ得るので、このような器具の欠点である。
【０００５】
創傷リトラクタ及び保護器がＵＳ−Ａ−５５２４６４４（Ｃｒｏｏｋ）に開示されている。この器具は、各端部に柔軟なリングを有するポリマ材料で形成されたオープンエンドのスリーブからなる。一方のリングが切創に挿入され、かつスリーブが手で他方のリングの周りに巻き上げられて前記ポリマ材料に引張り力を作用させ、開創を行う。この器具は、特に外科医の手が濡れている場合に手先の器用さが要求されるので、使用が困難な場合が多い。更に、この器具は漸増的に調整可能である。このことは、腹壁の全厚さについて器具の効率を制限している。
【０００６】
ＵＳ−Ａ−５５４５１７９（Ｗｉｌｌｉａｍｓｏｎ  ＩＶ）には、弾性シール要素及び管状コンジットを有する器具が記載されている。この器具は、創傷の縁を汚染から保護する。しかしながら、この器具は特に腹腔鏡検査用器具であり、創傷開口が十分に開創されないので、ハンドアシスト外科手術には適していない。
【０００７】
国際公開ＷＯ−Ａ−９６／３６２８３（Ｍｏｌｌｅｎａｕｅｒ）には、切創を開創しかつシールし、外科手術用器具のためのシールされたアクセスポートを提供するためのトロカール器具が記載されている。この器具は、開創及び創傷の縁の保護の両方を行うが、サイズに制限があるため、ハンドアシスト外科手術での使用には適していない。この器具は、一つまたは複数のバルーンの膨張により開創しかつ保護するが、これらが膨張時にルーメンを閉じるので、この器具を通して腹部の中を見えるようにすることができない。
【０００８】
国際公開ＷＯ−Ａ−９８／４８７２４には、ハンドアシスト腹腔鏡下外科手術で使用するための器具が開示されている。この器具は、創傷リトラクタ／保護要素と外科医の手首の周囲をシールするための要素とを有する。創傷保護要素は、内側リングと、他方の上部に垂直に取り付けられる２つの膨張可能なドーナツ型の外側リングとを備える。内側リング及び外側リングは、弾性スリーブで連結されている。２つの外側リングが膨張することにより、弾性スリーブによる開創が行われる。この器具は創傷開創しかつ保護するが、外側リングのために、垂直方向の形状が大きい器具には適していない。これは、切創内に届く範囲を制限し、かつ使用される様々な器具の横方向の動作の有効な範囲及び通気が厳しく制限されるようにその支点を延長させる。
【０００９】
創傷の保護
開いた創傷の側部は、人体の部分のような汚染された物質や創傷の開口を通過する流体に触れた場合に、感染したり相互汚染しやすい。また、創傷の縁に癌性物質が接触することから、重大な問題が生じることがある。癌性細胞が創傷の領域、特にトロカールの位置で種になりうることはよく知られている。
【００１０】
このような問題を回避するために、大きな注意を払って、液体を通さないドレープ即ち滅菌した布を用いて切創の縁を保護している。米国特許第３３９７６９２号明細書（Ｃｒｅａｇｅｒ）には、切創ライナが開示されている。このライナは、ポリマ材料のシートからなる。このシートは、中央に空けられた穴を有し、該穴の縁は半硬質リングを用いて補強されている。このリングは切創内に挿入することができ、該リングに取り付けた材料が創傷の位置にある汚染物質から切創の縁を保護しつつ、リングを通して外科的処理を行うことができるようになっている。これらの器具は、３Ｍコーポレーションから（Ｓｔｅｒｉｄｒａｐｅ）として市販されており、様々な創傷のサイズに対して様々なサイズで用いられている。しかしながら、このような器具では切創が十分に開創されない。
【００１１】
一般に、公知の器具は構造が複雑であるか、有効に創傷をシールしない及び／又は操作が困難である。
【００１２】
従って、これらの問題の少なくともいくつかを解消する改善された手術器具が要求されている。
【００１３】
（発明の開示）
本発明によれば、創傷開口の中に挿入するための内側取付手段と、創傷開口の外側に取り付けるための第１外側取付手段と、前記内側及び外側取付手段間を延長する結合手段とを有し、前記結合手段がその軸方向長さを短くするように動くことができることを特徴とする外科用器具が提供される。
【００１４】
本発明の特に好適な実施例では、前記外側取付手段が、前記結合手段をねじるように前記内側取付手段に関して動かして、縮径断面のルーメンを形成しかつ前記結合手段の軸方向長さを短くすることができる。
【００１５】
最も好ましくは、前記外側取付手段が前記結合手段をねじるように前記内側取付手段に関して回転可能である。
【００１６】
本発明の特に好適な実施例では、前記結合手段が、前記内側及び外側取付手段間を延長する柔軟な材料のスリーブである。
【００１７】
或る側面では、前記器具は、第２の外側取付手段を有し、前記結合手段が前記第１外側取付手段、前記内側取付手段及び前記第２外側取付手段の間を延長する。
【００１８】
この場合、好ましくは前記第１及び第２外側取付手段が、前記結合手段をねじりかつ前記内側取付手段を前記外側取付手段に向けて引くように、互いに相対的に回転可能である。
【００１９】
また、前記外側リングは内側取付手段に関して回転する。
【００２０】
特に好適な実施例では、前記内側取付手段がＯリングである。好ましくは、前記結合手段が、前記第１外側取付手段から前記Ｏリングへと、及び前記Ｏリングから前記第２外側取付手段へと案内されるスリーブである。
【００２１】
本発明の好適な実施例では、前記器具は、前記第１外側取付手段を前記第２外側取付手段に関して固定するためのロック手段を有する。
【００２２】
ある構成では、一方の前記外側取付手段が他方の前記取付手段内に配置され又は配置可能である。
【００２３】
好ましくは、前記スリーブの内径が前記スリーブの軸方向長さより大きい又はそれと等しい。
【００２４】
好適な構成では、前記スリーブの内径が該スリーブの軸方向長さより、一般に２〜６ｃｍである平均的な腹壁の厚さより小さい大きさだけ大きい。これは、開創力を助ける。
【００２５】
好ましくは、前記スリーブの長さを短くする際に前記外側取付手段間に実質的に気密なシールが形成される。理想的には、前記第１及び第２外側取り付け手段の間を延長するスリーブにより、膨張可能な空間が画定される。
【００２６】
本発明のある実施例では、前記器具が膨張手段を接続するためのポートを有する。
【００２７】
また、本発明によれば、創傷開口の中に挿入するための内側取付手段と、第１外側取付手段と、第２外側取付手段と、前記第２外側取付手段から前記内側取付手段へと、及び前記内側取付手段から前記第１外側取付手段へと延長する柔軟な材料のスリーブとを有する外科用器具が提供される。
【００２８】
好ましくは、前記第１及び第２外側取付手段の一方又は双方が互いに相対的に動くことができ、それらの間を延長する前記スリーブのねじりにより画定される前記ルーメンの直径を調整する。
【００２９】
理想的には、前記第１及び第２外側取付手段が相対的に回転可能である。
【００３０】
本発明のある実施例では、前記スリーブの長さの調整のために、前記スリーブが前記第２外側取付手段に取外可能に取り付けられている。
【００３１】
好ましくは、前記第２取付手段がレシーバからなり、前記スリーブが前記レシーバに取外可能に取り付けられたリングに取り付けられ又は取付可能である。
【００３２】
本発明での別の実施例では、前記内側取付手段が、創傷開口への挿入を簡単にするためにそのサイズを小さくすることができる形態をなす。
【００３３】
一般にこの場合には、前記内側取付手段がリングからなり、該リングがそのサイズを小さくするためのヒンジ手段を有する。
【００３４】
前記結合手段を動かして、該結合手段の軸方向長さを短くすることを特徴とする請求項１に記載の器具。
【００３５】
前記結合手段が、引き紐機構により動かされるスリーブからなることを特徴とする請求項２３に記載の器具。
【００３６】
前記結合手段が、前記内側取付手段に取り付けられた複数のストラップからなり、前記ストラップが上方に引き上げられて前記結合手段の軸方向長さを短くすることを特徴とする請求項２４に記載の器具。
【００３７】
一般に前記外側取付手段は、外科用器具を保持するためのホルダを有する。
【００３８】
前記外科用器具は、創傷リトラクタ、創傷保護器又は創傷保護リトラクタを形成することができる。
【００３９】
（発明の詳細な説明）
本発明は、添付図面を参照しつつ、その単なる実施例として以下に記載される詳細な説明からより明確に理解することができる。
【００４０】
添付図面に関し、先ず図１乃至図７には、特に腹腔鏡下外科手術において使用するための外科用器具が示されている。この場合に器具１は、患者の腹部の壁３の切創に関係する外科手術において用いられる。この場合に、創傷は本発明の器具１によって保護されかつ開創される。したがって、この場合に本発明は創傷保護リトラクタを提供する。
【００４１】
器具１は、創傷開口２の中に挿入するために弾性材料のような柔軟な材料からなるＯリング１０の形態を成す内側取付手段と、創傷開口２の外側に取り付けるための外側取付手段と、この場合には内側取付手段１０及び外側取り付け手段との間に延長するスリーブ１１の形態を成す結合手段とを備える。外側取付手段は、内側Ｏリング１０に関して動く、この場合には回転可能であり、スリーブ１１をねじって縮径断面の中央ルーメン１２を形成し、かつスリーブ１１の軸方向長さを短くする。スリーブ１１をねじると、内側Ｏリング１０が、図３に示す挿入位置から図４に示す使用位置まで上向きに引き上げられて創傷がシールされ、かつ放射方向の開創力が創傷に作用する。このシールされかつ開創された創傷の中に外科医が密封されたグローブをはめた手／腕／器具を挿入して、腹部内で外科的処置が行われる。
【００４２】
この好適な場合には前記外側取付手段が、第１環状リング２０の形態をなす第１外側取り付け手段と、第２環状リング２１の形態をなす第２外側取付手段とからなる。スリーブ１１は、生体適合可能で柔軟なガス不透過性プラスチック材料からなり、一端でリング２０にかつ他端でリング２１に取り付けられている。スリーブ１１はリング２０に結合され、図２によく示すように、Ｏリング１０の上に被せて案内されて、リング２１に取り付けるために上側にめくり戻されている。
【００４３】
使用時には、外科医が腹腔に切創を形成し、図３に示すようにＯリング１０を切創の中に挿入して固定する。次に、外側リング２０、２１を、図３における矢印Ａ及びＢの向きに相対的に回転させる。この相対回転によりスリーブ１１がねじられ、かつ前記器具が図４の使用位置にくるまでスリーブが短くなる。この位置において、内側Ｏリング１１は、前方腹壁の内部の内側に対して係合し、リング２１、２２は、創傷開口の外側にあって、スリーブ１１が軸方向に短くなっている。スリーブ１１のねじりにより、そのねじりの程度によって異なる縮径の中央ルーメンが得られる。完全に１８０度相対的にねじると、前記ルーメンは閉じることになる。ルーメン１２の縮径により、創傷のシールを維持しつつ、器具及び／又は外科医の腕のアクセスが得られる。
【００４４】
いずれかの適当な型式のロック手段を設けて、リング２０、２１を一体に固定することができる。このロック手段は、例えばチェット及びボール構造又はその類似物のような解除可能なラッチシステムからなる。
【００４５】
好適には、使用時にリング２０、２１間に気密なシールが形成される。この場合に前記スリーブによってリング２０、２１と内側Ｏリング１０との間に膨張可能な空間３０が提供される。前記器具では、膨張接続ポートを設けて膨張を容易にすることができる。膨張時には、前記スリーブの創傷係合部１１ａが放射方向外向きに押し出されて、非常に有効な創傷保護／シール及び創傷リトラクタを提供する。内側スリーブ部分１１ｂは膨張して更にルーメン１２を制限し、かつ該ルーメンの中に挿入された外科医の前腕、器具又は機器との間で非常に有効に密封可能に契合する。
【００４６】
効率的な密封状態での係合のために、スリーブ１１の内径（ｄ）を、図７に示すようにスリーブ１１の軸方向長さ（ｌ）より大きく又はそれと等しくするのが好ましい。好適には、前記スリーブの内径が、平均的な腹壁の厚さより小さい大きさだけ前記スリーブの軸方向長さより大きい。この形状においてスリーブ１１をねじったとき、創傷開口に密封及び開創力が作用する。
【００４７】
外科用器具１は、図６及び図７に示すように、一対のリング２０、２１に取り付けられた柔軟なプラスチック材料からなる円筒状スリーブ５０から形成することができる。柔軟なＯリング１０がスリーブ５０の上に嵌合している。次に、柔軟なスリーブ５０を重なるようにめくり返して、それにより内側及び外側スリーブ部分１１ａ、１１ｂ間にＯリング１０が閉じ込められ、かつリング２０、２１が図１及び図２に示す形状をなすようにする。
【００４８】
本発明の器具は、創傷の縁に力を作用させて、該創傷の縁に虚血性の損傷を生じさせることなく十分な露出を行わせる。前記器具は損傷の縁を相互感染又は癌性若しくは他の悪性細胞による種の発生から保護する。別の利点は、前記器具が、１回の使用後に廃棄することができるほど十分に低価格であり、それにより使用と使用の間で洗浄及び殺菌の必要性が無くなっていることである。さらに、前記器具は創傷又は自然な肉体の開口内の所望の位置への配置が簡単であり、かつ特に創傷保護器としての器具の使用から得られる利益をだめにすることなく、簡単に取りはずすことができる。
【００４９】
図８乃至図１０に関して、本発明による別の外科用器具６０が示されている。器具６０は器具１に類似しており、類似の部分には同じ参照符号が付されている。この場合、スリーブ６１は単壁スリーブであり、唯一つの外側取付リング６２が設けられている。内側リング１０に関して外側リング６２を回転させると、スリーブにねじりが形成されて短くなり、図９及び図１０に示すように前方腹壁の内側に対して内側リング１０を上向きに引き上げる。
【００５０】
内側Ｏリングは、前記外科用器具のスリーブに例えば接着剤で固定し得ることがわかる。また、１つは複数の前記取付手段を、組織と積極的に係合する形状に形成し得ることがわかる。例えば、前記取付手段は、該取付手段を所定位置に固定する組織結合突起を設けることができる。有効な開創及び創傷保護のため、前記外側及び内側取付手段間の結合手段を柔軟な材料からなるスリーブの形態になすことが好ましいとはいえ、前記結合手段は連続的でないものにできることがわかる。例えば、前記スリーブは、細長いストリップ又はその類似物の形態にすることができる。
【００５１】
図１１乃至図１３に関し、本発明による別の外科用器具７０が示されている。この場合には結合手段が、上向きに引き上げられて軸方向の長さを短くしかつ創傷リトラクタを形成する複数のストラップからなる。ストラップ７１は、ウェッジ要素７２によるようになんらかの適当な固定手段によって、図示されるように短くした形態に保持される。この場合、創傷開口内には、図１１に示す静止形態から図１２に示す加圧膨張状態へと膨張可能な虹彩絞り型器具８０を設けることができる。
【００５２】
図１４乃至図１６に関し、本発明による別の器具８５が示されており、図１５Ｂに示す初期位置から図１５Ａの創傷開創位置へとバックル器具８７により内側取付リング８３と外側取付リング８４間を動くことができる複数のストラップ８６により結合手段が画定されている。内側リング８３が最初に切創の中に挿入される。次に、ストラップ８６のたるみを引き締めることにより外側リング８２を皮膚の高さまで下げる。開創作用を発生させるため、ストラップ８６を引いてピンと張り、創傷の縁を創傷の中央位置から移動させる。ストラップ８６は最適の開創が達成されるまで調整することができる。ストラップ８６の引張り力は摩擦により又は留め金機構を用いてストラップ８６を張った状態に維持することができるバックル８６により保持される。
【００５３】
図１７及び図１８に関して、器具８５と類似の別の外科用器具９０が示されている。この場合、内側及び外側取り付けリング８２、８３はその横断面が卵形をなし、ストラップ８６の動きを円滑にしている。この器具は器具８５と同様に使用される。図１９及び図２０に関し、脚が一本のストラップ９４である別の外科用器具９３が示されている。この器具は器具８５及び器具９０と同様に使用される。この場合ストラップ９４は内側リング８３に巻き付かれていないが、それに直接取り付けられている。
【００５４】
図２１には、ロック機構により所定位置に固定されるストラップ９６を有する別の外科用器具９５が示されている。このロック機構は、その中をストラップ９６が通る穴の中に挿入されたウェッジ９７を有し、ストラップ９６を摩擦で所定位置に保持している。又、ラチェット機構を用いて又は他の調整可能なロック機構を用いて前記ストラップを所定位置に保持することができる。
【００５５】
図２２及び図２３に示す器具９８は異なる構造のウェッジ又はラチェット９９を用いて前記ストラップを所定位置に固定する点を除いて、図２１の器具に類似している。
【００５６】
図２４乃至図２６に関し、本発明による別の外科用器具が示されている。この場合には、前記外科用器具が図１乃至図１０に関して上述したと類似の構造を有する創傷保護リトラクタ２００である。器具１は、第１Ｏリング２０１の形態をなす内側取付手段と、第１レシーバ２０３内に取り付けられた第２Ｏリング２０２の形態をなす第１外側取付手段と、第２レシーバ２０６内に取り付けられた第３Ｏリング２０５の形態をなす第２取り付け手段等を備える。この場合に、レシーバ２０３、２０６は図示されるように相互に結合可能であり、組立時にレシーバ２０３、２０６間に第４Ｏリング２０７が設けられる。
【００５７】
柔軟なプラスチック材料のスリーブ２１０は、第２外側レシーバ２０６から内側Ｏリング２０１へと、及び内側Ｏリング２０１から第１外側レシーバ２０３へと延長している。レシーバ２０３、２０６は図２５に示すように取り外し可能であり、それらの間で矢印の向きへの相対回転を容易にして、スリーブ２１のねじりの程度を変化させることができる。
【００５８】
図２７及び２８に関し、図２４乃至図２６の器具と類似する別の外科用器具２２０が示されており、類似の部分には同じ参照符号が付されている。この場合、Ｏリング２０５はレシーバ２０６から取り外し可能で、スリーブ２１０の長さ調整を容易にしている。Ｏリング２０５を取り外すと、スリーブ２１０は所望の長さｄに調整される。このようにして、単一の器具２２０を様々な厚さの腹部に用いることができる。ねじりにより画定されるルーメンの直径は、腹部のサイズの範囲を満足するために変更する必要はない。余分なスリーブは切り離すことができ又はＯリングシール２０５の周囲に巻き付けることができる。
【００５９】
図２９乃至図３２に関して、図２４乃至図２８の器具に類似する本発明による別の外科用器具の部分２３０が示されており、類似の部分には同じ参照符号が付されている。内側取付手段２３０は創傷開口への挿入を簡単にするためにそのサイズを小さくするように形成されている。この場合、内側取り付け手段２３１は、２３２の位置でヒンジ結合された分割リングの形態を成し、図示されるよにリング２３１の直径を小さくすることを容易にしている。当然ながら、前記ヒンジは一体に形成することができ、実際にはこのようなヒンジを多数設けることができることが分かる。
【００６０】
図３３及び図３４に関し、２つの外科用器具２５０、２６０の組立体が示されている。器具２５０は前腕シールであり、かつ器具２６０は、外側シール器具２５０に組み立てられる創傷保護リトラクタである。シール器具２５０は外科医が自分の腕をその中に挿入することができ、又は器具及びそれらの類似物を挿入するための外側密封アクセスポートを提供する。
【００６１】
図３５乃至図３８に関し、本発明による別の外科用器具３００が示されている。器具３００は上述したものと類似する創傷保護リトラクタである。この場合に、創傷保護リトラクタ３００は、半硬質弾性材料の内側リング３０１と類似の物質からなる外側リング３０２とを有する。柔軟な材料のスリーブ３０３がリング３０１、３０２間に延在する。引き紐３０５がスリーブ３０３に適合しており、前記引き紐を矢印の向きに外向きに引くと、スリーブ３０３が上向きに引っ張られて切創内で締まり、かつ創傷保護部及びリトラクタを提供する。
【００６２】
この引用によりその内容を本明細書の一部とする、ＡＴＲＯ１／Ｃ、ＡＴＲＯ１４／Ｃ／、ＡＴＲＯ１５／Ｃ、ＡＴＲＯ１６／Ｃ／、ＡＴＲＯ１７／Ｃを引用して我々の提示した複数の用途において概説した適切な代案の実施形態及び改変した実施形態を参照されたい。
【００６３】
本発明は、上記実施態様の限定されず、その構成及び詳細を変更し得る。
【図面の簡単な説明】
【図１】  本発明による外科用器具の斜視図。
【図２】  図１の器具の断面図。
【図３】  ある使用位置における前記器具の断面図。
【図４】  別の使用位置における前記器具の断面図。
【図５】  図４の位置における前記器具の上面図。
【図６】  図１乃至図５の器具を形成するための方法を示す斜視図。
【図７】  図１乃至図５の器具を形成するための方法を示す断面図。
【図８】  本発明による別の外科用器具を示す斜視図。
【図９】  ある使用位置における図８の器具の断面図。
【図１０】  別の使用位置における図８の器具の断面図。
【図１１】  異なる使用位置における本発明による別の外科用器具の断面図。
【図１２】  異なる位置における本発明による別の外科用器具の断面図。
【図１３】  図１１の器具の平面図。
【図１４】  本発明による更に別の外科用器具の断面図。
【図１５】  Ａ図及びＢ図は、使用時における図４の器具の断面図。
【図１６】  図１４の器具の平面図。
【図１７】  本発明の別の外科用器具の断面図。
【図１８】  図１７の器具の平面図。
【図１９】  本発明の別の外科用器具の断面図。
【図２０】  図１９の器具の平面図。
【図２１】  本発明の更に別の外科用器具の断面図。
【図２２】  本発明の更に別の外科用器具の断面図。
【図２３】  図２２の器具の平面図。
【図２４】  本発明の別の外科用器具の斜視図。
【図２５】  調整された図２４の器具の斜視図。
【図２６】  図２４及び図２５の器具の部分断面側面図。
【図２７】  部分的に分解した図２６に類似の図。
【図２８】  再度組み立てた図２７の器具の図２６に類似の図。
【図２９】  本発明の別の外科用器具の概略斜視図。
【図３０】  創傷に挿入した形態での図２９の器具の斜視図。
【図３１】  図２９及び図３０の器具の内側リング部分の概略斜視図。
【図３２】  図２９及び図３０の器具の内側リング部分の平面図。
【図３３】  組立可能な状態の２つの外科用器具の断面図。
【図３４】  組み立てられた図３３の器具の断面図。
【図３５】  本発明による別の外科用器具の平面図。
【図３６】  切創内の位置にある前記器具の図３５におけるＡ−Ａ線における断面図。
【図３７】  別の使用位置における図３５及び図３６の器具の平面図。
【図３８】  図３７のＢ−Ｂ線における断面図。
【図１】
0004181306.tif 000002
【図２】
0004181306.tif 000003
【図３】
0004181306.tif 000004
【図４】
0004181306.tif 000005
【図５】
0004181306.tif 000006
【図６】
0004181306.tif 000007
【図７】
0004181306.tif 000008
【図８】
0004181306.tif 000009
【図９】
0004181306.tif 000010
【図１０】
0004181306.tif 000011
【図１１】
0004181306.tif 000012
【図１２】
0004181306.tif 000013
【図１３】
0004181306.tif 000014
【図１４】
0004181306.tif 000015
【図１５】
0004181306.tif 000016
【図１６】
0004181306.tif 000017
【図１７】
0004181306.tif 000018
【図１８】
0004181306.tif 000019
【図１９】
0004181306.tif 000020
【図２０】
0004181306.tif 000021
【図２１】
0004181306.tif 000022
【図２２】
0004181306.tif 000023
【図２３】
0004181306.tif 000024
【図２４】
0004181306.tif 000025
【図２５】
0004181306.tif 000026
【図２６】
0004181306.tif 000027
【図２７】
0004181306.tif 000028
【図２８】
0004181306.tif 000029
【図２９】
0004181306.tif 000030
【図３０】
0004181306.tif 000031
【図３１】
0004181306.tif 000032
【図３２】
0004181306.tif 000033
【図３３】
0004181306.tif 000034
【図３４】
0004181306.tif 000035
【図３５】
0004181306.tif 000036
【図３６】
0004181306.tif 000037
【図３７】
0004181306.tif 000038
【図３８】
0004181306.tif 000039